(57)【要約】本発明は、アンダースキャンを含む少なくとも一つのサブセットＳＴ１、ＳＴ２、を夫々有する一連のフレームＴにわたって制御信号が広げられる方法に関わる。同方法は、フレームを構成するサブセットＳＴ１、ＳＴ２の数を変更することを含む。
2004513397.tif 000002
【特許請求の範囲】
【請求項１】
ソースからの画像を表示するパネルにおける列電極と行電極との交点に位置するピクセルの制御信号のための走査方法であって、
列信号は上記列電極において同時に且つ選択的にアドレス指定され、
上記行電極は少なくとも一つのラインを又は最大で上記パネルの半分のラインを有するグループにグループ化され、ライン信号は上記パネルの上記ラインの各グループで連続的にアドレス指定され、
上記信号は表示されるべき画像のソースと同期される持続時間ＴＴを有する一連のフレームＴにわたってずらされ、
各フレームは一連のサブフィールドを有し、
上記各サブフィールドはピクセルをオン又はオフの状態に設定することに適切なライン及び列信号をアドレス指定する期間Ｔａを有し、続いて、素子を上記オン又はオフの状態で維持することに適切な行及び列の維持信号の期間Ｔｓを有し、
上記パネルの各ピクセルに対する上記一連のサブフィールドを有するフレームの上記期間ＴＴ中、上記素子をオンにするアドレス指定期間を有するサブフィールドの数は上記表示されるべき画像中の該ピクセルに対応する点の輝度に従って変えられ、
１つのフレームを構成する上記サブフィールド夫々に対する上記アドレス指定期間のシーケンシングは、該フレームの期間ＴＴにわたって、
同じフレームの全てのサブフィールドがラインの各グループにおいて一度だけアドレス指定され、
上記サブフィールドに対する上記アドレス指定期間のどのオーバーラップも回避されるよう確立される、方法であって、
上記サブフィールドは、ｇ１、ｇ２、・・・のサブフィールドを夫々有する少なくとも２つのサブフレームＳＴ１、ＳＴ２、・・・に分割され、
上記アドレス指定期間のシーケンシングは、各サブフレームＳＴ１、ＳＴ２のｇ１、ｇ２のサブフィールドの実行にわたって該サブフレームの全ての上記サブフィールドがラインの各グループにおいて一度だけアドレス指定されるよう確立され、各フレームは上記サブフレームＳＴ１、ＳＴ２、・・・から選択される少なくとも一つのサブフレームよりなることを特徴とする走査方法。
【請求項２】
様々な上記サブフィールドの期間Ｔｓの和は、０．７×ＴＴより大きいことを特徴とする請求項１記載の方法。
【請求項３】
フレームを構成する上記サブフレームＳＴ１、ＳＴ２、・・・の数は表示中に変えられることを特徴とする請求項１又は２記載の走査方法。
【請求項４】
上記サブフレームの実行の持続時間が等しいことを特徴とする請求項１乃至３のうちいずれか一項記載の方法。
【請求項５】
上記パネルの輝度を調節する請求項３又は４記載の方法の使用方法。
【請求項６】
上記輝度の調節は、上記表示されるべき画像の平均的輝度に依存して自動的に行われることを特徴とする請求項５記載の使用方法。
【請求項７】
上記輝度の調節は、上記パネルによって消費される電力を制御する内部的処理に従って自動的に行われることを特徴とする請求項５記載の使用方法。
【請求項８】
請求項１乃至４のうちいずれか一項記載の方法を実行する、又は、請求項５乃至７のうちいずれか一項記載の上記方法の使用方法のためのシステムを含むことを特徴とするプラズマディスプレイパネル。
【発明の詳細な説明】
【０００１】
本発明は、原色を夫々発することができる発光素子又はピクセルのマトリクスを有し各ピクセルの輝度を制御することを目的とする、画像ディスプレイパネルを駆動する方法に関わり、より特定的には、パネルの各ピクセルは第１のアレイに属する電極と別のアレイに属する電極又は一対の電極との交点に位置し、本発明による方法は、各交点における発光をアクティブ又は非アクティブにするよう電極の間に電圧を印加することに適しており、本発明は、特にプラズマパネルに適用される。
【０００２】
一般的に、このタイプのディスプレイパネルではアドレス指定アレイの電極は平行に垂直方向に配置され、他方のアレイの電極又は一対の電極も平行に水平方向に配置され、垂直方向の電極は列電極と呼ばれ、水平方向の電極又は一対の電極は行電極又はライン電極、或いは、一対の行電極又はライン電極と呼ばれる。
【０００３】
電極に印加される電圧は、
列の場合、各列特有の電圧信号がパネルの列と同時にアドレス指定されるよう全列にわたって同時に印加され、それにより、各列が各アドレス指定シーケンス特有の信号を受信するため列のアドレス指定が選択的となり、
ラインの場合、１ラインずつ又はラインのグループずつに印加され、適当な異なる信号が各ライン又はラインのグループに連続して割り当てられるよう、一般的に制御されている。
【０００４】
従って、画像ディスプレイパネルを駆動する方法は、画像を完全に表示するために全てのライン又はラインのグループを走査することを含み、走査時間又はフレーム時間はイメージソースとの必要な同期を確実にするよう画像リフレッシュ期間以下で維持されなくてはならず、リフレッシュ期間は例えば、「デュアルスキャン」モードの場合にはハーフスクリーンを走査することに対応し、欧州における従来の「５０Ｈｚ」テレビジョンの場合には２０ｍｓに対応し、米国における従来の「６０Ｈｚ」テレビジョンの場合には１６．６ｍｓに対応する。
【０００５】
あるディスプレイパネル、例えば、プラズマパネルに関して、各ピクセルから発せられる光の瞬間的な量を十分に調節することはできない。ピクセルの「見かけ」輝度、つまり、約２０ミリ秒の眼による統合期間（ｉｎｔｅｇｒａｔｉｏｎ）にわたって統合される輝度を調節するためには、同期間中に各ピクセルの発光の持続時間を変えることが既知である。１ライン又はラインのグループのピクセルの照度の持続時間は固定の又は可変の持続時間ＴＳＦを有する所定の数ｎのサブフィールドＳＦ０、ＳＦ１、・・・、ＳＦ（ｉ）、・・・ＳＦ（ｎ−１）に分割され、パネルの各ピクセルに関して、点灯されるサブフィールドの数又は組み合わせは表示されるべき画像中の対応する点の輝度に従ってフレームの持続時間に関して変えられ、様々なサブフィールドＳＦ０、ＳＦ１、・・・、ＳＦ（ｉ）、・・・ＳＦ（ｎ−１）の持続時間の和
【数１】
2004513397.tif 000003
は表示されるべき画像のリフレッシュ期間より短く維持されなくてはならない。アドレス指定方法は、フレームの持続時間にわたって全てのライン又は全てのラインのグループにおける全てのサブフィールドをアドレス指定することができることに適さなくてはならず、サブフィールドの数及び持続時間は、十分に正確な輝度のグラデーションを形成することができる十分な数の可能なサブフィールドの組み合わせを得、表示欠陥、特に、「コントーリング（ｃｏｎｔｏｕｒｉｎｇ）」欠陥を制限するよう本質的に公知の方法で合わせられる。
【０００６】
ピクセルが表示すべき輝度は、ｎビットのビデオワード（ｂ０、ｂ１、・・・、ｂｉ、ｂｎ−１）として本質的に公知の方法でコード化され、各ビットｂｉの値、即ち０又は１は、該ピクセルが対応するサブフィールドＳＦ（ｉ）中に点灯しているか否かに対応する。
【０００７】
プラズマパネルでは、各ピクセルはパネルの放電セルに対応し、セルをアドレス指定するためには１ライン又はラインのグループの各サブフィールドは一般的にセルの点灯の有無に関するアドレス指定期間Ｔａと、サブフィールド特有の所定のアクティブ時間Ｔｓにわたってセルを点灯させ続ける維持期間Ｔｓとを有し、セルは先行するアドレス指定期間Ｔａ中にアクティブにされた場合にだけ点灯されたままであり、サブフィールドＳＦ（ｉ）の相対的な持続時間Ｔｓはサブフィールドの「重み」と一般的に呼ばれ、サブフィールドの合計持続時間ＴＳＦは
【数２】
2004513397.tif 000004
によって与えられる。
【０００８】
従来では、マトリクスディスプレイパネルをアドレス指定する２つのタイプの方法が用いられた：
第１の方法、ＡＤＳ（アドレス・アンド・ディスプレイ・セパレーテッド；Ａｄｄｒｅｓｓｕ　ａｎｄ　Ｄｉｓｐｌａｙ　Ｓｅｐａｒａｔｅｄ）では、同時にアドレス指定されるラインのグループはパネルの全てのラインを含み、同方法の利点の一つはパネルのアドレス指定期間中にアドレス指定信号のシーケンシングを、また、パネルの維持期間中に維持信号のシーケンシングを個別に制御することが可能な点であり、シーケンス：・・・、アドレス指定期間Ｔａ−ＳＦ（ｉ）−サブフィールドＳＦ（ｉ）の維持期間Ｔｓ−ＳＦ（ｉ）−アドレス指定期間Ｔａ−ＳＦ（ｉ＋１）−次のサブフィールドＳＦ（ｉ＋１）の維持期間Ｔｓ−ＳＦ（ｉ＋１）・・・に従ってサブフィールドがパネル全体にわたって互いに後続するためライン間でアドレス指定の干渉が起こる危険がない。
【０００９】
第２の方法、ＡＷＤ（ディスプレイ中のアドレス指定；Ａｄｄｒｅｓｓ　Ｗｈｉｌｅ　Ｄｉｓｐｌａｙ）では、同時にアドレス指定されるラインのグループは最大でパネルの半分のラインを含み、文書ＳＩＤ９９Ｄｉｇｅｓｔ，ｐａｇｅ１６２−１６５で発行されたＭ．Ｉｓｈｉｉ外による”Ｒｅｄｕｃｔｉｏｎ　ｏｆ　Ｄａｔａ　Ｐｕｌｓｅ　Ｖｏｌｔａｇｅ　ｔｏ　２０Ｖ　ｂｙ　ｕｓｉｎｇ　ＡＷＤ　Ｓｃｈｅｍｅ　ｆｏｒ　ＡＣＰＤＰＳ “なる名称の文献に同タイプのアドレス指定方法が記載されており、文献ＦＲ２７５５２８１及びＥＰ１０１４３３１にも同タイプのアドレス指定方法が記載されており、同方法は１ラインずつの別々のアドレス指定を可能にし、同方法によると、ラインのグループのアドレス指定期間中、他のラインのグループに対して維持期間が行われ、結果として期間の「インターリービング」が生じ、従って、同方法には「インターリーブされた」アドレス指定システムという名称がつけられている。
【００１０】
ラインのＬのグループ１，２、・・・ｊ、・・・、Ｌを有するＡＷＤタイプの方法では、
（ｊ）とラベル付けされたラインのグループに関して、連続：アドレス指定期間Ｔａ−ＳＦ（ｉ）−（ｊ）−サブフィールドＳＦ（ｉ）の維持期間Ｔｓ−ＳＦ（ｉ）−（ｊ）−・・・−アドレス指定期間Ｔａ−ＳＦ（ｉ＋ｋ）−（ｊ）−サブフィールドＳＦ（ｉ＋ｋ）の維持期間Ｔｓ−ＳＦ（ｉ＋ｋ）−（ｊ）・・・が生じ、
（ｊ’）とラベル付けされたラインの別のグループに関して、連続：アドレス指定期間Ｔａ−ＳＦ（ｉ’）−（ｊ’）−サブフィールドＳＦ（ｉ’）の維持期間Ｔｓ−ＳＦ（ｉ’）−（ｊ’）−・・・−アドレス指定期間Ｔａ−ＳＦ（ｉ’＋ｋ’）−（ｊ’）−サブフィールドＳＦ（ｉ’＋ｋ’）の維持期間Ｔｓ−ＳＦ（ｉ’＋ｋ’）−（ｊ’）・・・が生ずる。
【００１１】
このＡＷＤ方法では、ラインのグループ間の全ての干渉を回避するために、２つのアドレス指定動作は同時に起こってはならず、従って、「コヒーレント」制約、即ち、ｉ、ｉ’（ｉ＝ｉ’を含む），ｊ，ｊ’が何であっても、ラインのグループｊに対するアドレス指定期間Ｔｓ−ＳＦ（ｉ）−（ｊ）はラインの別のグループｊ’に対するアドレス指定期間Ｔａ−ＳＦ（ｉ’）−（ｊ’）をオーバーラップしてはならないといった基本的な制約がある。
【００１２】
更に、ＡＤＳ方法の場合のように、パネルの全てのライン又はラインのグループが同じシリーズのサブフィールドを有することが重要であり、且つ、フレームの持続時間にわたってアドレス指定方法がラインの全てのグループ中の全てのサブフィールドをアドレス指定できることが重要であり、従って、フレームに関わる第１のサブフィールドの始まりと、同フレームに関わる最後のサブフィールドの終わりとの間で経過した持続時間の合計はフレームの持続時間を超えてはならない。
【００１３】
ＡＷＤ方法の利点の一つは、画像走査期間中又はフレームの持続時間中、アドレス指定に当てられた時間全体が第１の方法における時間全体よりも相当短く、それにより維持時間、従って、パネルの全体的な輝度が比例して増加される。同方法を実行する一つの困難な点は、ラインの様々なグループの間の全ての干渉を回避するようアドレス指定期間のシーケンシングが確立されなくてはならない点である。
【００１４】
ＳＩＤ９９９ＤＩＧＥＳＴ，ｐａｇｅ１５８−１６１で発行されたＭ．Ｋａｓａｈａｒａ外による“Ｎｅｗ　Ｄｒｉｖｅ　Ｓｙｓｔｅｍ　ｆｏｒ　ＰＤＰｓ　ｗｉｔｈ　ｉｍｐｒｏｖｅｄ　Ｉｍａｇｅ　ｑｕａｌｉｔｙ：Ｐｌａｓｍａ　Ａｌ”なる名称の文献は、改善されたＡＤＳ方法を開示し、パネルによって表示される画像の「ピーク輝度」が実質的に改善され、それによりサブフィールドの数が表示されるべき画像の平均的な輝度に従って変えられる：
平均的な輝度が低いとき、小数のサブフィールド、例えば、８が使用され、
平均的な輝度が高いとき、より多くのサブフィールド、例えば、１２が使用され、輝度レベルを著しく損なうことなく「コントーリング」の危険性が制限される。
【００１５】
動的に可変な数のサブフィールドを用いてアドレス指定する方法は、サブフィールドの数が直ぐにパネル全体に対して連続：・・・、［サブフィールドＳＦ（ｉ）のＴａ−ＳＦ（ｉ）−Ｔｓ−ＳＦ（ｉ）］−［次のサブフィールドＳＦ（ｉ＋１）のＴａ−ＳＦ（ｉ＋１）−Ｔｓ−ＳＦ（ｉ＋１）］に影響を及ぼすため、コヒーレント制約がないＡＤＳタイプ方法において実行することが容易である。
【００１６】
しかしながら、ＡＷＤタイプの走査方法が用いられ、サブフィールドの数を動的に変えることが望ましいときＡＷＤ方法特有のコヒーレント制約を満たすことが非常に困難である。
【００１７】
本発明は、この困難を軽減することを目的とする。
【００１８】
この目的のために、本発明の技術的内容はソースからの画像を表示するパネルにおける列電極と行電極との交点に位置するピクセルの制御信号のための走査方法に関わり、
列信号は上記列電極において同時に且つ選択的にアドレス指定され、
上記行電極は少なくとも一つのラインを又は最大で上記パネルの半分のラインを有するグループにグループ化され、ライン信号は上記パネルの上記ラインの各グループで連続的にアドレス指定され、
上記信号は表示されるべき画像のソースと同期される持続時間ＴＴを有する一連のフレームＴにわたってずらされ、
各フレームは一連のサブフィールドを有し、
上記各サブフィールドはピクセルをオン又はオフの状態に設定することに適切なライン及び列信号をアドレス指定する期間Ｔａを有し、続いて、素子を上記オン又はオフの状態で維持することに適切な行及び列の維持信号の期間Ｔｓを有し、
上記パネルの各ピクセルに対する上記一連のサブフィールドを有するフレームの上記期間ＴＴ中、上記素子をオンにするアドレス指定期間を有するサブフィールドの数は上記表示されるべき画像中の該ピクセルに対応する点の輝度に従って変えられ、
１つのフレームを構成する上記サブフィールド夫々に対する上記アドレス指定期間のシーケンシングは、該フレームの期間ＴＴにわたって、
同じフレームの全てのサブフィールドがラインの各グループにおいて一度だけアドレス指定され、
上記サブフィールドに対する上記アドレス指定期間のどのオーバーラップも回避されるよう確立され、本発明による方法は、
上記サブフィールドは、ｇ１、ｇ２、・・・のサブフィールドを夫々有する少なくとも２つのサブフレームＳＴ１、ＳＴ２、・・・に分割され、
上記アドレス指定期間のシーケンシングは、各サブフレームＳＴ１、ＳＴ２のｇ１、ｇ２のサブフィールドの実行にわたって該サブフレームの全ての上記サブフィールドがラインの各グループにおいて一度だけアドレス指定されるよう確立され、各フレームは上記サブフレームＳＴ１、ＳＴ２、・・・から選択される少なくとも一つのサブフレームよりなることを特徴とする。
【００１９】
アドレス指定期間のシーケンシングにおいてアドレス指定期間の全ての相互のオーバーラップを回避する一つの方法は、ＦＲ２７５５２８１、例えば、同出願の図４を参照し同文中の１４ページ、９行目−３２行目に記載されている。
【００２０】
更に、ＡＷＤタイプの走査方法が使用されたときの輝度の改善を上記明細書が教示されているように、例えば、（ｊ）とラベル付けされた任意のグループのラインに関してサブフィールドＳＦ（ｉ）の維持期間Ｔｓ−ＳＦ（ｉ）−（ｊ）の終わりと次のサブフィールドＳＦ（ｉ＋ｋ）のアドレス指定期間Ｔａ−ＳＦ（ｉ＋ｋ）−（ｊ）の始まりとの間の「デッドタイム」を最小化するよう様々なサブフィールドに対するアドレス指定期間のインブリケーションを最大化することが好ましく、つまり、各サブフィールドＳＦに関して、その合計持続時間がそのアドレス指定期間及び維持機関の和Ｔａ＋Ｔｓに可能な限り近いようサブフィールドのアドレス指定期間のシーケンシング及び持続時間が確立されることが好ましく、アドレス指定期間Ｔａが維持期間Ｔｓと比べて一般的に比較的短いため、少なくとも一つのラインを有するグループ夫々に関して、様々なサブフィールドの期間Ｔｓの和がフレームの持続時間ＴＴに可能な限り近いことを示唆し、実際には、高い輝度を得るためには、この和が０．７×ＴＴよりも大きくなることが好ましい。
【００２１】
本発明は、更に、
フレームを構成するサブフレームＳＴ１、ＳＴ２等の数が表示中に変えられる；
上記サブフレームの実行の持続時間が等しいといった特徴を一つ以上有してもよい。
【００２２】
本発明の技術的内容は、パネルの輝度を調節するための本発明による方法の使用に関わる。
【００２３】
本発明は、更に、
輝度の調節が表示されるべき画像の平均的な輝度に従って自動的に行われる；
輝度の調節がパネルによって消費される電力を制御する内部処理に従って自動的に行われるといった特徴を一つ以上有してもよい。
【００２４】
本発明の技術的内容は、上記方法を実行し、上記方法の使用のためのシステムを有するプラズマディスプレイパネルに関わる。
【００２５】
輝度コード化ビットの数は、スクリーンのグレースケール鮮明度及び／又は全体的な輝度、及び／又は、ピクチャの質に関して要件に従って常に変えられ、それにより輝度はｇ１、ｇ２、・・・のビットにわたって、又は、フレームを形成するサブフレームの任意の一つの可能な組み合わせに対応するこれら数ｇ１、ｇ２の全ての合計にわたって、区別なくコード化され得る。
【００２６】
従来では、コード化ビットの数を変化させる状況は、外部的コマンド、例えば、パネルのユーザによる輝度の調節から得られ、更に、内部的パネル動作処理、例えば、電力制御処理から得られていた。
【００２７】
従って、本発明は、
１）サブフィールドＳＦ０、ＳＦ１、・・・、ＳＦ（ｉ）、ＳＦ（ｉ＋１）、・・・、ＳＦｎ−１の組をサブフィールドの少なくとも２つのサブセット又はサブフレームＳＴ１、ＳＴ２、・・・に分割すること、
２）同じサブフレームＳＴ１のサブフィールド及びスクリーンの全てのグループのラインに対するアドレス指定期間がサブフレーム特有の時間ＴＳＴ１にわたって実行されるようなアドレス指定期間の適切なシーケンシング、他のサブフレームＳＴ２等にも適用できることに本質的に関わる。
【００２８】
それにより、表示スクリーンの各グループのラインにわたり、
サブフレームＳＴ１：ｂ０、ｂ１、ｂ２、ｂ３、
サブフレームＳＴ２：ｂ４、ｂ５、ｂ６、ｂ７、
サブフレームＳＴ３：ｂ８、ｂ９、ｂ１０、ｂ１１、
に従って本発明によると３つのグループに分割される表示されるべき画像のピクセルに対する輝度信号の１２コード化ビットｂ０、ｂ１、・・・、ｂｉ、・・・、ｂ１１に基づく一般的な表示モードに関して、輝度ビットはサブフレームの順番例えば、最初に全てのグループのラインに対するサブフレームＳＴ１のビット、次に、全てのグループのラインに対するサブフレームＳＴ２のビット、最後に全てのグループのラインに対するサブフレームＳＴ３のビットを尊重してアドレス指定され、このとき当然のことながら、ビットをアドレス指定する順番は同じサブフレームＳＴ１、ＳＴ２、又は、ＳＴ３内で任意のグループのラインと別のグループのラインとで変化されてもよい。
【００２９】
本発明によるとラインのグループは、１サブフレームずつアドレス指定され：新しいサブフレームに属するビットのアドレス指定は先行するサブフレームの全てのビットに対する全アドレス指定期間が完了したときに始まる。
【００３０】
ＴＳＴ１、ＴＳＴ２、ＴＳＴ３が１２ビット表示モードにおけるサブフレームＳＴ１、ＳＴ２、ＳＴ３の夫々の持続時間を表わし、ＴＴが全ての表示モードに対する同一フレームの持続時間（持続時間は一般的に２０ｍｓ以下である）に対応する場合、ＴＳＴ１＋ＴＳＴ２＋ＴＳＴ３＝ＴＴである。
【００３１】
１２ビット表示モードでは、画像は一つの完全なフレームに対する
−ＴＳＴ１にわたり、全てのグループのラインにおいてサブフレームＳＴ１の全てのサブフィールドがアドレス指定され、
−ＴＳＴ２にわたり、全てのグループのラインにおいてサブフレームＳＴ２の全てのサブフィールドがアドレス指定され、
−ＴＳＴ３にわたり、全てのグループのラインにおいてサブフレームＳＴ３の全てのサブフィールドがアドレス指定される、といったシーケンシングに従って表示される。
【００３２】
本発明特有のこのシーケンシングにより、表示中のサブフィールドの数又はグレースケールビットの数はＡＷＤ方法特有のアドレス指定コヒーレンスを失うことなく、つまり、ラインのグループのアドレス指定期間がオーバーラップする危険性を有することなく簡単に変えられ得る。
【００３３】
従って、上記１２ビットの表示モードから別の表示モード、例えば、第１のサブフレームＳＴ１の４ビットと第２のサブフレームＳＴ２の４ビットに基づく８ビットに切り換えるためには、ラインのグループのピクセルの照度の可能な持続時間、つまり、フレームの持続時間は、もはや１２サブフィールドにわたってではなくサブフレームＳＴ１の４つのサブフィールド及びサブフレームＳＴ２の４つのサブフィールドにわたってだけ分割され、完全なフレームのためには、画像は新しいシーケンシング：
−Ｔ’ＳＴ１にわたり、全てのグループのラインにおいてサブフレームＳＴ１の全てのサブフィールドがアドレス指定され、
−Ｔ’ＳＴ２にわたり、全てのグループのラインにおいてサブフレームＳＴ２の全てのサブフィールドがアドレス指定される、に従って表示される。
【００３４】
ビットの数が減少するため、Ｔ’ＳＴ１＞ＴＳＴ１及びＴ’ＳＴ２＞ＴＳＴ２であり、Ｔ’ＳＴ１とＴ’ＳＴ２とは、Ｔ’ＳＴ１＋Ｔ’ＳＴ２＝ＴＴを満たすよう選択される。
【００３５】
１２の代わりに８ビットだけにわたってフレームの持続時間を分割することにより、
−サブフレームＳＴ１の各サブフィールドの持続時間は同じ係数Ｔ’ＳＴ１／ＴＳＴ１＞１だけ増加され、
サブフレームＳＴ２の各サブフィールドの持続時間は同じ係数Ｔ’ＳＴ２／ＴＳＴ２＞１だけ増加される。
【００３６】
パネルの輝度は従って増加される。
【００３７】
様々な期間、特に、アドレス指定期間のシーケンシングが各残留するサブフレームＳＴ１、ＳＴ２内で不変であるため、この分割における変化がＡＷＤ方法特有のシーケンシングのコヒーレンスを壊さずサブフィールドの組をサブフレームに分割することによって、ＡＷＤタイプのアドレス指定方法においてサブフィールドの数を動的に変更することが特に簡単になる。
【００３８】
先行する表示モードのビットの相対的重さを維持するよう８つのサブフィールドの持続時間が同じ割合で増加されることが好ましく、このときＴ’ＳＴ１／ＴＳＴ１＝Ｔ’ＳＴ２／ＴＳＴ２である。
【００３９】
従って、全体として、
Ｔ’ＳＴ１＝ＴＴ×［ＴＳＴ１／（ＴＳＴ１＋ＴＳＴ２）］
Ｔ’ＳＴ２＝ＴＴ×［ＴＳＴ２／（ＴＳＴ１＋ＴＳＴ２）］
である。上記８ビットの表示モードから別の表示モード、例えば、第１のサブフレームＳＴ１の４つのビットに基づく４つのビットだけを含む表示モードに切り換えることが可能となり、完全なフレームのために画像は、Ｔ’’ＳＴ１＝ＴＴにわたり全てのグループのラインにおいてサブフレームＳＴ１の全てのサブフィールドがアドレス指定される、新しいシーケンシングを用いて表示される。
【００４０】
それにより、４つのビットだけにわたりフレームの持続時間を分割することによって、サブフレームＳＴ１の各サブフィールドの持続時間は、ＡＷＤ方法特有のシーケンシングのコヒーレンスを壊すことなく同じ係数Ｔ’’ＳＴ１／Ｔ’ＳＴ１＞１だけ増加される。
【００４１】
本発明は、サブフレームの数、及び、輝度コード化ビットが何であっても適用可能であるが、フレームがサブフレームに分割されるのに十分に大きいことを条件とする。
【００４２】
本発明は、ＡＣプラズマパネルの場合における非制限的な例として記載される以下の説明を読み、表Ｉ及びＩＩと添付の図面とを参照することでより明確に理解されるであろう。
【００４３】
以下の説明は、４８０行８５３列に分割される４０９４４０のピクセルを有するＡＣカラープラズマパネルを駆動する方法に関わり、各列は３列の原色に細分化されているため、８５３×３＝２５５９列のピクセルが制御されなくてはならない。
【００４４】
従来のプラズマパネルは、列電極の板とライン電極の板といった、少なくとも一つのアレイの電極を夫々有する２枚の絶縁板を有し、板間には放電ガスを含む空間があり、パネルの各ピクセルは一方の板の列電極と他方の板の行電極又は一対の行電極との各交点で板の間に位置決めされているセルによって形成され、セルはバリアリブによって互いから離間されていてもよく、ＡＣプラズマパネルにおける電極のアレイは「メモリ」効果を提供するのに適した誘電体層で被覆され、一般的にＭｇＯベースの保護層は電極のアレイを被覆するか、適当であれば誘電体層を被覆し、セルの壁は電極間で形成される光学電気的放電の励起の下で所望の原色の可視光を発することに適切な蛍光体で部分的に被覆されている。
【００４５】
上述したプラズマパネルの他にインスタレーションはパネルの電極を供給しアドレス指定する電子システムを更に含むが、これは本質的に公知であり本発明に関連する以下の要素との関連以外では詳細には説明しない。
【００４６】
従って、パネルを駆動する方法は、本質的に公知の方法を用いて、セルの蛍光体を発光させる又はさせない、つまり、ピクセルをオンにする又はさせないために各セルで放電を生じさせる若しくは生じさせないよう電極間に電圧信号を印加するように設計され、１ラインの又はラインのグループの各ピクセルの状態、即ち、オン又はオフの状態は、対応する行電極又は複数の行電極に適切な信号を送ると同時に該ピクセルが位置する交点における列の電極に適切な信号を送ることで制御され、この場合、ラインは合計で８のグループができるよう６０行ずつグループ化され、ラインの全てのグループは走査されパネルの全てのピクセルの状態が制御されるようになり、走査時間は画像リフレッシュ時間又はフレーム持続時間より短くなくてはならず、フレーム持続時間は５０Ｈｚのビデオイメージソースに関して一般的に２０ｍｓである。
【００４７】
輝度又はグレースケールグラデーションは、発光の時間的調節によって従来では実行されており、この目的のためにフレームの持続時間がサブフィールド期間に分割され、サブフィールドがピクセルの輝度を制御するためにビデオワードの対応するビットとの同化により「ビット」と一般的に呼ばれ、このグラデーションで十分な解像度を得るため及び画像欠陥、特にコントーリングを制限するために十分な数のサブフィールド又はビット、この場合ｎ＝１２が選ばれる。
【００４８】
各サブフィールドＳＦ０、ＳＦ１、・・・、ＳＦ１１又はビットｂ０、ｂ１、・・・、ｂ１１には、本質的に公知の方法で最高のグレースケール解像度及び最適なピクチャの質の両方に合わせられた持続時間ＴＳＦ０、ＴＳＦ１、・・・・、ＴＳＦ１１が割り当てられる。
【００４９】
本発明によると、これら１２のサブフィールドは
−ＳＴ１＝［ＳＦ０，ＳＦ１，ＳＦ２，ＳＦ３］
−ＳＴ２＝［ＳＦ４，ＳＦ５，ＳＦ６，ＳＦ７］
−ＳＴ３＝［ＳＦ８，ＳＦ９，ＳＦ１０，ＳＦ１１］
に従って３つのサブフレームＳＴ１、ＳＴ２、ＳＴ３に分割される。
【００５０】
ＡＣパネル特有の「メモリ」効果は、適当な列及びライン信号（アドレス指定信号）を用いて同じグループのラインの各ピクセルが選択的にオンにされ若しくはされなかった後、同じラインのピクセル全てに適切な同一の信号（維持信号）を同時に送ることによって同じラインのピクセルを同じ状態、オン又はオフのいずれか一方、で維持することを可能にし、それにより維持信号が全てのピクセルに対して同一であるため、様々なライン又はラインのグループに対する維持期間は不都合を有することなくオーバーラップしてもよいが、アドレス指定期間の場合これが成立しないことは明らかである。
【００５１】
従って、全てのオーバーラップを回避するようアドレス指定期間のシーケンシング、従って、各サブフレームＳＴ１、ＳＴ２、ＳＴ３のサブフィールドのシーケンシングを確立することが重要であり、この目的のために、本質的に公知のシミュレーション手段がアドレス指定期間のオーバーラップを有しない可能なシーケンシングを確立するために用いられる。
【００５２】
シミュレーション手段により、様々なサブフィールドの重みの値が正確に決定される。
【００５３】
最短の持続時間ＴＳＦ０を有するサブフィールドに対してサブフィールドＳＦ０の又はビットの「重み」と呼ばれる任意の単位で値１が割り当てられた場合、即ち、ＴＳＦ０＝１の場合、例えば、
ＳＴ１に関して：ＴＳＦ０＝１；ＴＳＦ１＝５；ＴＳＦ２＝９；ＴＳＦ３＝１７；
ＳＴ２に関して：ＴＳＦ４＝２；ＴＳＦ５＝５；ＴＳＦ６＝６；ＴＳＦ７＝１９；
ＳＴ３に関して：ＴＳＦ８＝３；ＴＳＦ９＝３；ＴＳＦ１０＝７；ＴＳＦ１１＝１９；
である。
【００５４】
これらサブフレームの実行の累積重み又は持続時間は、この場合同じ３２に等しく、同じ持続時間又は同じ重みを有するサブフレームのこの構造により、あるラインのグループのビットをアドレス指定する時と次のラインのグループの同じビットをアドレス指定する時との間にかかる時間を最小化することが有利的に可能となり、従って、ラインの様々なグループの間の境界線によって明らかにされる（コントーリングタイプの）ピクチャアーチファクトが制限される。
【００５５】
ラインのあるグループの各サブフィールドは同グループの６０のラインに対するアドレス指定期間から始まり、フレームの持続時間ＴＴが２０ｍｓに設定されている場合、１フレーム中に行われなくてはならないアドレス指定のサイクルが９６［８（グループのライン）×１２（１フレーム当たりのサブフィールド）］あるため、６０ラインに対するアドレス指定期間は２０ｍｓ／９６＝２０８μｓを超えてはならず、これは本願では詳細に説明しない本質的に公知の技術的手段を用いて技術的に実現可能である。
【００５６】
本発明によると、サブフレームＳＴ１、ＳＴ２、ＳＴ３の持続時間にわたって、同じサブフレームの全てのサブフィールドがラインの各グループに関して一回だけアドレス指定されることが重要である。
【００５７】
図１は、得られたシーケンシングを例示し、ｙ軸に８のグループのラインの数がプロットされ、ｘ軸に３つのサブフレーム又は９６のアドレス指定サイクル（時間の単位）に分割された時間がプロットされ、従って、本発明によると、サブフレームＳＴ１にわたって、重みが夫々１、５、９、１１の同サブフレーム特有の全てのサブフィールド又はビットｂ０、ｂ１、ｂ２、ｂ３がアドレス指定されることが分かり、同様のことが他のサブフレームＳＴ２及びＳＴ３でも分かる。
【００５８】
図１は、各サブフレームＳＴ１、ＳＴ２、ＳＴ３内のサブフィールドの順番でラインの一方のグループから他方のグループへの変化を走査の構成が生じさせることを更に示し、これら変化、この場合回転は、フレーム内においてサブフィールドの順番で変更を生じさせ、これはラインの該グループに依存してサブフィールドの実際の持続時間において幾つかの非常に僅かな変化を伴い、この変化は表Ｉに明確に示されている。
【００５９】
添付図面２の表Ｉは、各サブフィールド（ｂ０乃至ｂ７）及びラインの各グループ（１乃至８）に対する各サブフレームＳＴ１、ＳＴ２、ＳＴ３のサブフィールドの実際の持続時間を示し、どの場合においても、各サブフィールドＳＦ（ｉ）の重みはパネル全体にわたってＳＦ（ｉ）の最小限の重みに減少されなくてはならず、従って、サブフィールドの実際の重みは、
ＳＴ１の場合、ライン６番目と７番目のグループに関してＴＳＦ０＝１；ＴＳＦ１＝５、ＴＳＦ２＝７、ＴＳＦ３＝１７；
ＳＴ２の場合、ラインの８番目のグループに関してＴＳＦ４＝２；ＴＳＦ５＝４、ＴＳＦ６＝６、ＴＳＦ７＝１９；
ＳＴ３の場合、ラインの８番目のグループに関してＴＳＦ８＝３；ＴＳＦ９＝３、ＴＳＦ１０＝７、ＴＳＦ１１＝１９に減少される。
【００６０】
ラインのグループによるサブフィールドの実際の持続時間におけるこの調節は、イレイス動作の位置を賢明に選ぶことによって行われる。
【００６１】
添付図面３の表ＩＩは、これらサブフィールドのシーケンシングを提案し、提案されたシーケンシングの一貫性をサブフレームずつ確認することを可能にし、任意の時間の単位がアドレス指定期間又は「サイクル」（最大で２０８μｓ）に対応すると考えると、同表は、ラインの各グループに関して、サブフィールドに対するアドレス指定期間が始まる瞬間（参照符がＡから始まる列を参照）を示し：従って、フレーム内、更には各サブフレーム内でアドレス指定期間のオーバーラップがないことの確認がなされる。
【００６２】
各サブフィールドの重みがパネル全体にわたって十分に均一に分布されていることを確実にするために、同じグループのラインにおいてサブフィールドの終わり（維持期間の終わり）と、次のサブフィールドの始まり（アドレス指定期間の始まり）との間に「デッドタイム」を導入することが重要であり：表ＩＩは各グループのラインに関して、サブフィールドが終わる瞬間（参照符がＥから始まる列を参照）を示し、上記瞬間と同じグループのライン（列Ａ）における次のサブフィールドの瞬間との間で経過した可能性のある時間が「デッドタイム」であり、表ＩＩにおいて、
各グループのラインに関して、各サブフィールドの重みは表Ｉに示される実際の重みに等しく、
各フレームの「デッドタイム」は同フレームの持続時間の３０％未満のままであり、最後のサブフレーム（この場合Ｅ１１、ライン５）が終わる瞬間は１１２の任意の単位に対応し、この瞬間がフレームの終わりを示すためフレームの持続時間ＴＴは１１２の任意の単位に等しく、更に、サブフィールドの重みの和は９６の任意の単位（表ＩＩ：同じグループのラインの「重み」の和）に略等しく、様々なサブフィールドの期間ＴＳの和対フレームの持続時間ＴＴに対する比は従って９６／１１２＝０．８６に等しく、この比はパネルが高い輝度を有することを確実にするのに十分に高く、この輝度は本発明による方法によって更に改善される、といった確認がなされる。
【００６３】
図１及び表ＩＩを用いて、各グループのラインに関して各サブフレームをアドレス指定する始まり及び終わりの瞬間（任意の単位における）を導き出すことが可能となり、この結果は以下の表ＩＩＩに記されている。
【表１】
2004513397.tif 000005
従って、本発明によると、
サブフレームＳＴ１に対する全てのアドレス指定動作は瞬間０と瞬間３２との間で行われ、
サブフレームＳＴ２に対する全てのアドレス指定動作は瞬間３２と瞬間６４との間で行われ、
サブフレームＳＴ３に対するアドレス指定動作は瞬間６４と瞬間９６との間で行われることがわかる。
【００６４】
任意の単位において、各サブフィールドの持続時間は、ＴＳＴ１＝ＴＳＴ２＝ＴＳＴ３＝３２、従って、ＴＳＴ１＋ＴＳＴ２＋ＴＳＴ３＝ＴＴ＝９６である。
【００６５】
従って、本発明によると、同じサブフレーム内の全てのサブフィールドは同サブフレームの持続時間にわたってラインの各グループにおいて一回だけアドレス指定され、サブフレームに関わる最初のサブフィールドの始まりと最後のサブフレームに関わる最後のサブフィールドの始まりとの間における経過時間の合計は同サブフレームの持続時間を超過しない。
【００６６】
プラズマパネルを駆動する図１のシーケンシングの全て又は一部の使用を以下に説明する。
【００６７】
このシーケンシング全ては、図１の１２のサブフィールドにわたって、つまり、３つのサブフレームＳＴ１−ＳＴ２−ＳＴ３にわたってフレームの持続時間を分割することで従来的にまず使用されてもよく、第１の表示モードは輝度の１２ビットコード化に対応する。
【００６８】
電極を供給しアドレス指定する電子システムは、本質的に公知の方法で、インスタレーションのビデオ入力信号を１２ビットのビデオワード（ｂ０、ｂ１、ｂ２、・・・、ｂ（ｎ−１））に変換し、各ワードはパネルの１つのピクセルと関連付けられ同ピクセルによって表示されるべき輝度に依存する数値を有し、上述した方法及びシーケンシングを用いて、各ワードは関連付けられているピクセルからの発光の時間的調節を行えるよう同ピクセルにアドレス指定され、フレームの持続時間の終わりに完全な画像がパネル上に表示され、フレームＳＴ１−ＳＴ２−ＳＴ３、ＳＴ１−ＳＴ２−ＳＴ３、ＳＴ１−ＳＴ２−ＳＴ３・・・の連続により５０Ｈｚの周波数で画像のリフレッシュ及び実行が行われる。
【００６９】
画像の実行中、ピクセル輝度コード化ビットの数を減少することが有用となり得、本発明により、上記１２ビットコード化からサブフレームＳＴ１、ＳＴ２、及び／又はＳＴ３のサブフィールドの数の任意の組み合わせに対応するコード化に非常に簡単に切り換えられるようになり、１２ビットの他の可能な組み合わせとして４又は８輝度コード化ビットがある。
【００７０】
画像の実行中に輝度コード化ビットの数を減少させるためには、フレームの持続時間が２つのサブフレーム（８ビットコード化）、又は、単一のサブフレーム（４ビットコード化）に分割され、各サブフレーム内で図１のシーケンシングが維持され、フレームは８だけ、更には４サブフィールドさえも有さず、
８ビットコード化の場合、フレームはＳＴ１−ＳＴ２又はＳＴ２−ＳＴ３、又は、ＳＴ１−ＳＴ３の連続に対応し、
４ビットコード化の場合、フレームは単一のサブフレームＳＴ１、ＳＴ２、又は、ＳＴ３に対応する。
【００７１】
同じリフレッシュの程度、つまり、同じフレーム持続時間を保持することが望ましい場合、サブフィールドの及びサブフレームの持続時間はフレーム全体を「埋め」、残留するビットの相対的重さを維持するよう同じ比率で拡大される。
【００７２】
電極を供給しアドレス指定する電子システムは、本質的に公知の方法で、インスタレーションのビデオ入力信号を４ビット又は８ビットビデオワードに変換し、これらワードを該ワードと関連付けられるピクセルにアドレス指定し、１フレームの持続時間の後、完全な画像がパネル上に表示される。
【００７３】
従って、１２ビット輝度コード化表示モードからより小さい数のコード化ビットを有する表示モードへの移行、及び、逆の移行は、表示中に非常に簡単に連続的に行われる。
【００７４】
有利的には、表示中のビット数の減少はアドレス指定期間の持続時間、及び、好ましくは維持期間の持続時間を増加させ、それによりパネルの輝度を増加することを可能にさせる。
【００７５】
本発明は、ＡＷＤタイプの方法の全ての公知の利点、特に、高輝度及びパネルによって消費される電力のフレーム全体にわたる分布といった利点を有する。
【００７６】
サブフィールドがサブフレームにわたって十分に均一に分布され、各サブフレームが低重みサブフィールドと略同じ位の多くの高重みサブフィールドを含むような場合、本発明による走査方法はコントーリングに関連する画像欠陥を減少することを可能にさせる。
【００７７】
本発明は、サブフレームの数及び輝度コード化ビットの数が何であっても適用されるが、輝度コード化ビットの数はフレームがサブフレームに分割されることができるよう十分に高いことを条件とする。
【００７８】
従って、フレーム全体が１４のサブフィールドを有し輝度コード化が１４ビットにわたって行われ、１４のサブフィールドが２、３、４、及び、５のサブフィールドを夫々有する４つのサブフレームＳＴ１、ＳＴ２、ＳＴ３、及び、ＳＴ４に分割された場合、可能な輝度コード化は、本発明によると、２、３、４、５、６、７、８、９、１０、１１、１２、及び、１４ビットであり、同じ数のビットを有するコード化はサブフレームの様々な組み合わせによって実現されてもよく、例えば、組み合わせＳＴ１−ＳＴ２はサブフレームＳＴ４単独の場合と同じ数のビットを結果として得、同じ数のビットを有する幾つかのコード化から選ぶ可能性は輝度の進歩的な調節を有利的に可能にする。
【００７９】
本発明は、ＡＣプラズマパネルを参照して説明したが、他のタイプのプラズマパネル及びピクセルを制御する、走査を必要とする全てのマトリクスディスプレイパネルにも適用できる。
【００８０】
従って、本発明は、プラズマアドレス指定液晶（ｐｌａｓｍａ−ａｄｄｒｅｓｓｅｄ　ｌｉｑｕｉｄ−ｃｒｙｓｔａｌ；ＰＡＬＣ）パネルの駆動及び反射型液晶オンシリコン（ｌｉｑｕｉｄ−ｃｒｙｓｔａｌ−ｏｎ−ｓｉｌｉｃｏｎ；ＬＣｏＳ）マトリクスにも適用できる。
【図面の簡単な説明】
【図１】
フレームに対するアドレス指定シーケンスの本発明によるサブフレームへの構成を示す図である。
【図２】
図１の特定の場合に従うサブフレームによるサブフィールドの分割と、ラインの各グループ１、２、・・・、８に対する各サブフィールドｂ０、ｂ１、・・・、ｂ１１の最大持続時間とを示す表Ｉに対応する図である。
【図３】
本発明によるシーケンスを用いて表Ｉのサブフィールドが始まる瞬間と終わる瞬間とを示す表ＩＩに対応する図である。
【図１】
2004513397.tif 000006
【図２】
2004513397.tif 000007
【図３】
2004513397.tif 000008
【国際公開パンフレット】
2004513397.tif 000009
2004513397.tif 000010
2004513397.tif 000011
2004513397.tif 000012
2004513397.tif 000013
2004513397.tif 000014
2004513397.tif 000015
2004513397.tif 000016
2004513397.tif 000017
2004513397.tif 000018
2004513397.tif 000019
2004513397.tif 000020
2004513397.tif 000021
2004513397.tif 000022
2004513397.tif 000023
2004513397.tif 000024
2004513397.tif 000025
2004513397.tif 000026
2004513397.tif 000027
2004513397.tif 000028
2004513397.tif 000029
2004513397.tif 000030
2004513397.tif 000031
2004513397.tif 000032
2004513397.tif 000033
【国際調査報告】
2004513397.tif 000034
2004513397.tif 000035
2004513397.tif 000036
2004513397.tif 000037